(57)【要約】【課題】本発明は入力信号の急激な変化に基づく出力の急激な変化を抑止することを目的とするものであり、特にオーディオ装置に適したものである。【解決手段】全波整流回路１が入力されたアナログ信号を整流し整流波を出力する。平滑回路２は全波整流回路１によって整流された整流波を平滑し平滑済波形を生成する。微分回路３は平滑済波形の変化、急変を検知し、検出部４が微分回路からの出力に基づき、ミュート回路５を動作させる構成とした。【選択図】図１
2013240001.tif 000002
【特許請求の範囲】
【請求項１】
アナログ信号を整流する整流回路と、前記整流回路により整流された整流波を平滑する平滑回路と、前記平滑回路により平滑された信号の変化を検出する微分回路と、前記整流回路へ入力されるアナログ信号を入力とするミュート回路とを備え、
前記ミュート回路の制御を前記微分回路の検出結果に基づき行うことを特徴とする急変化抑止装置。
【請求項２】
整流回路およびミュート回路へ入力されるアナログ信号が、オーディオヘッドユニットからのオーディオ信号であり、ミュート回路から出力されるアナログ信号がスピーカーへ出力される請求項１に記載の急変化抑止装置を備えたオーディオ装置。
【請求項３】
微分回路により検出された変化が一定値に達した場合に、ミュート回路を動作させることを特徴とする請求項２記載のオーディオ装置。
【請求項４】
ミュート回路の動作開始後、一定時間後にミュート回路の動作を終了させることを特徴とする請求項３記載のオーディオ装置。
【請求項５】
ミュート回路の動作開始後、微分回路により検出された変化が一定値に達した場合に、ミュート回路の動作を終了させることを特徴とする請求項３記載のオーディオ装置。
【発明の詳細な説明】
【技術分野】
【０００１】
本発明は入力信号の急激な変化に基づく出力の急激な変化を抑止する急変化抑止装置およびこれを用いたオーディオ装置に関するものである。
【背景技術】
【０００２】
従来、入力信号の急激な変化に基づく出力の急激な変化を抑止するものとしては、例えば文献１に示すものが知られている。
【０００３】
即ち、電源投入時や遮断時、音源の切り替え時に発生する入力信号の急激な変化への対応として、電源のオンオフの前後、音源切り替え手段による音源切り替え前後において入力信号に対しミュート信号をオンオフし、出力の急激な変化であるボツ音を抑制している。
【先行技術文献】
【特許文献】
【０００４】
【特許文献１】特開平１−１７６１０４号公報
【発明の概要】
【発明が解決しようとする課題】
【０００５】
しかしながら前記従来の技術では、電源のオンオフ、音源の切り替え等、予め想定された事象、検出可能な事象には対応することはできるが、予め検出できない想定外の事象、即ち予期できない要因に対しては対応することは困難であった。
【０００６】
本発明は、予め想定した事象に限らず、予期できない要因に対しても、入力信号の急激な変化に基づく出力の急激な変化を抑止することを可能とする急変化抑止装置およびこれを用いたオーディオ装置を提供することを目的とする。
【課題を解決するための手段】
【０００７】
上記目的を達成するために、請求項１記載の本発明の急変化抑止装置は、アナログ信号を整流する整流回路と、前記整流回路により整流された整流波を平滑する平滑回路と、前記平滑回路により平滑された信号の変化を検出する微分回路と、前記整流回路へ入力されるアナログ信号を入力とするミュート回路とを備え、  前記ミュート回路の制御を前記微分回路の検出結果に基づき行うことを特徴するものである。
【０００８】
また、請求項２記載のオーディオ装置は、整流回路およびミュート回路へ入力されるアナログ信号が、オーディオヘッドユニットからのオーディオ信号であり、ミュート回路から出力されるアナログ信号がスピーカーへ出力される請求項１に記載の急変化抑止装置を備えたことを特徴とする。
【発明の効果】
【０００９】
以上のように本発明の急変化抑止装置、及びオーディオ装置は、アナログ信号を整流する整流回路と、前記整流回路により整流された整流波を平滑する平滑回路と、前記平滑回路により平滑された信号の変化を検出する微分回路と、前記整流回路へ入力されるアナログ信号を入力とするミュート回路とを備え、  前記ミュート回路の制御を前記微分回路の検出結果に基づき行うことで、即ち、予め想定された事象の検出結果に基づくのではなく、入力信号であるアナログ信号自身の急変化に基づきミュート回路を制御することにより、電源のオンオフ、音源の切り替え等、予め想定された事象に限らず、想定外の事象、予
期できない要因に対しても出力の急激な変化を抑止することができる。
【図面の簡単な説明】
【００１０】
【図１】本発明の実施の形態における急変化抑止装置の構成を示すブロック図
【図２】急変化抑止装置における処理を説明する信号波形図
【図３】本発明の実施の形態におけるオーディオ装置を示すブロック図
【発明を実施するための形態】
【００１１】
以下、本発明の一実施形態にかかる急変化抑止装置および急変化抑止装置を備えたオーディオ装置について、図面を用いて説明する。
【００１２】
図１は、本発明の一実施形態にかかる急変化抑止装置の構成を示すブロック図、図２は急変化抑止装置の各回路の入出力波形を示す図である。
【００１３】
図１において１は入力信号であるアナログ信号を整流する全波整流回路であり、２は全波整流回路１により整流された整流波の輪郭を抽出するための平滑回路であり、３は平滑回路２により平滑された平滑済波形の変化を抽出する微分回路である。４は微分回路３により抽出された変化を検出し、その変化量に基づき入力信号のミュートを指示する検出部である。５は検出部４からの指示に従い入力信号をミュートするミュート回路である。
【００１４】
図１において、入力信号であるアナログ信号は全波整流回路１とミュート回路５に並列的に入力される。
【００１５】
図２（ａ）から（ｅ）をもとに急変化抑止装置の動作について説明する。全波整流回路１及びミュート回路５には図２(ａ)に示すアナログ信号が入力される。全波整流回路１は入力されたアナログ信号を整流し、図２（ｂ）に示す整流波を出力する。平滑回路２は全波整流回路１によって整流された整流波を平滑し図２（ｃ）に示す平滑済波形を生成する。微分回路３は平滑済波形の変化、急変化をとらえ図２（ｄ）に示す波形を出力する。検出部４は微分回路からの出力に基づき、平滑済波形の急変化を検出し、変化が一定値以上の場合、即ち微分回路からの出力値が一定値に達した場合、例えば電源電圧値の半分の値を超えた時点で、ミュート回路５を動作させ、一定時間後、例えば１００ミリ秒後にミュート回路の動作を終了させる。
【００１６】
その結果、ミュート回路からは入力アナログ信号（ａ）に対し、急激な変化がミュートされた出力信号として図２（ｅ）が出力される。
【００１７】
これにより、入力信号の急激な変化に基づく出力の急激な変化を抑止することが可能となる。
【００１８】
なお、ミュート回路の動作を一定時間後に終了させるのは、アナログ信号が徐々に正常値にもどる場合には、微分回路ではその変化を検出できない場合があるためである。
【００１９】
ミュート回路の動作を終了させる方法としては、微分回路から得られる次の平滑済波形の急変に基づき、即ち、ミュート回路を動作させた後、微分回路からの出力値が一定値に達した場合に動作を終了させるようにしてもよい。この場合、図２（ｆ）に示すような急変状態が一定時間続く場合に、急変状態に対応する出力を有効に抑止することができる。
【００２０】
図３は、本発明の急変化抑止装置を用いたオーディオ装置の構成を示すブロック図である。図３において６は、ＣＤ、ラジオ、テープ等の異なる音源を有し、選択された音源からオーディオアナログ信号を出力するオーディオヘッドユニットであり、７は急変化抑止
装置からの出力信号から音として再生するスピーカーである。
【００２１】
本発明のオーディオ装置では、オーディオヘッドユニットの電源のオンオフ、音源の切り替え等を予め検出することなく、入力信号の急激な変化に基づく出力の急激な変化であるボツ音を抑止することができる。即ち、急変化抑止装置への入力アナログ信号自身の急変を検出するため、予め想定された事象に限らず、想定外の事象、予期できない要因に対しても出力の急激な変化を抑止することができる。
【００２２】
例えば、音量をコントロールするロータリースイッチの故障による異常信号発生時に、最大音量まで到達することを抑止することや、オーディオヘッドユニットのソフトウェアのバグによる急激な音量上昇も抑止することができる。
【００２３】
なお、急変化抑止装置の出力としてスピーカーを用いたオーディオ装置について説明したが、出力として発光体や発熱体等に対しても本発明の急変化抑止装置が有効であることは明らかである。
【産業上の利用可能性】
【００２４】
本発明は入力信号の急激な変化に基づく出力の急激な変化を抑止する急変化抑止装置として様々な分野の制御に活用できる。また、異常音を防止するオーディオ装置として適している。
【符号の説明】
【００２５】
１  全波整流回路
２  平滑回路
３  微分回路
４  検出部
５  ミュート回路
６  オーディオヘッドユニット
７  スピーカー
【図１】
2013240001.tif 000003
【図２】
2013240001.tif 000004
【図３】
2013240001.tif 000005